(57)【要約】【課題】本発明は上記の従来技術の問題点を解決するために案出されたものであって、釜の外観に取っ手を堅固に締結することができる調理容器を提供することに、その目的がある。本発明は釜の外観に取っ手を固定させても、外観をより向上させることができる調理容器を提供することに、その目的がある。【解決手段】本発明は電気炊飯器、電気圧力炊飯器などのような調理機器に挿入されて、食物が入れられて調理される調理容器に関するものであり、特に釜の両側に取っ手が堅固に固定された調理容器に関するものである。本発明による調理容器は食物が調理される釜；釜の両側面にそれぞれ係合するように設置されて、両端が溶接固定されたブラケット；および、各ブラケットにねじ組み立てが成される取っ手；を含むため、強度を補強でき、外観の品質をより向上させることができる。【選択図】図３
2008086745.tif 000002
【特許請求の範囲】
【請求項１】
食物が調理される釜と、前記釜の両側面にそれぞれ係合するように設置されて、両端が溶接固定されたブラケットと、前記ブラケットのそれぞれにねじで取り付けられる取っ手とを含むことを特徴とする調理容器。
【請求項２】
前記釜の両側面にそれぞれ少なくとも一つ以上の溝部が具備されて、前記ブラケットの一面に前記釜の複数の前記溝部に挟まれる複数の突起部が具備されることを特徴とする請求項１に記載の調理容器。
【請求項３】
前記釜の両側面にそれぞれ少なくとも一つ以上の突起部が具備されて、前記ブラケットの一面に前記釜の複数の前記突起部が挟まれる複数の溝部が具備されることを特徴とする請求項１に記載の調理容器。
【請求項４】
前記ブラケットの両端と前記釜の外側面との間に三角形のビードを形成するように溶接されることを特徴とする請求項１に記載の調理容器。
【請求項５】
前記ブラケットは前記釜と相接する面と反対になる面にねじが螺合される締結突起が形成されることを特徴とする請求項１に記載の調理容器。
【発明の詳細な説明】
【技術分野】
【０００１】
本発明は電気炊飯器、電気圧力炊飯器などのような調理器機に挿入されて、食物が入れられて調理される調理容器に関するものであり、特に釜の両側に取っ手が堅固に固定された調理容器に関するものである。
【背景技術】
【０００２】
一般的に電気炊飯器または電気圧力炊飯器に採用される内釜は鋳物や板材で製作され、その上部両側面にプラスチック材質で製作された取っ手が取り付けられるように構成される。
【０００３】
図１は従来の技術の一実施形態である調理容器の溶接連結部分が図示された図面であるが、図１に図示されたように釜(１)の上部両側面に取っ手（図示せず）をねじで取り付けるためにスタッド溶接が行われる。
【０００４】
この際、釜(１)上部両側面にそれぞれ一組のスタッド(２)を相接するようにした後、瞬間的な電気抵抗を利用して金属を溶接固定させて、取っ手をスタッド(２)にねじ付ける。
【発明の開示】
【発明が解決しようとする課題】
【０００５】
しかし、上記のような調理容器は釜にスタッドが溶接固定され、スタッドに取っ手がねじ止めされるため、釜とスタッドの間の溶接面積が制限されることによって取付強度が弱まり、溶接の際にスタッドの変形が発生し得るため、正確な取付けが成されにくい問題点がある。
【０００６】
図２は従来の技術の他の実施形態である調理容器のリベット連結部分が図示された図面であるが、図２に図示されたように釜(３)の上部両側面に取っ手(図示せず)をねじ止めするためにリベット締結が行われる。
【０００７】
この際、釜(３)の上部両側面にそれぞれホール(３h)を形成して、釜(３)のホール(３h)にリベット(４)を挟んでリベッティング作業をした後、取っ手をリベット(４)にねじ止めする。
【０００８】
しかし、上記のような調理容器は、釜にホールを加工してリベットが締結されるため、取付強度は向上させることができるが、釜の内部でリベットが見えるようになるため外観品質を落とす問題点と、石や炭または玉を釜の内部に形成する場合、炭または玉から成る釜の内部に直接的に穴を開ける作業をしなければならなく、それによる作業工程時の釜内部の破損及び毀損が発生するので、リベッティング締結をすることに問題点が生じる。
【０００９】
本発明は上記の従来技術の問題点を解決するために案出されたものであって、釜の外観に取っ手を堅固に締結することができる調理容器を提供することに、その目的がある。
【００１０】
また、本発明は釜の外観に取っ手を固定させても、外観をより向上させることができる調理容器を提供することに、その目的がある。
【課題を解決するための手段】
【００１１】
上記の課題を解決するための本発明は、食物が調理される釜と、釜の両側面にそれぞれ係合するように設置されて、両端が溶接固定されたブラケットと、各ブラケットにねじで取り付けられる取っ手とを含むことを特徴とする調理容器を提供する。
【００１２】
また、釜の両側面にそれぞれ少なくとも一つ以上の溝部が具備されて、ブラケットの一面に釜の複数の溝部に挟まれる複数の突起部が具備されることを特徴とする調理容器を提供する。
【００１３】
また、釜の両側面にそれぞれ少なくとも一つ以上の突起部が具備されて、ブラケットの一面に釜の複数の突起部が挟まれる複数の溝部が具備されることを特徴とする調理容器を提供する。
【００１４】
また、ブラケットの両端と釜の外側面の間に三角形のビードを形成するように溶接されることを特徴とする調理容器を提供する。
【００１５】
また、ブラケットは、釜と相接する面と反対になる面にねじが取り付けられる締結突起が形成されることを特徴とする調理容器を提供する。
【発明の効果】
【００１６】
上記のように構成される本発明による組み立て容器は、釜の外観をブラケットを互いに係合するように取り付けるとともに、溶接固定させて、取っ手をブラケットにねじ止めするために締結強度をより高めることができるため、製品を堅固に製作することができる利点がある。
【００１７】
さらに、本発明は釜外観にブラケットを取り付けても釜の内側に露出することがなく、釜の外観にブラケットを溶接しても溶接部分を取っ手が覆うように設置されるため、構成部品の間の結合部分が釜に露出されないことから、美観をより向上させることができる利点がある。
【発明を実施するための最良の形態】
【００１８】
以下、本発明の実施形態を添付された図面を参照して詳細に説明する。
【００１９】
図３及び図４は本発明の一実施形態である調理容器が図示された図面であって、図５及び図６は本発明の一実施形態である調理容器のブラケット装着構造が図示された図面であり、図７は本発明の一実施形態である調理容器のブラケットが図示された図面である。
【００２０】
本発明の一実施形態である調理容器は図３ないし図７に図示されたように釜(１０)の上部両側面にブラケット(２０)の背面が係合した後、その両端(２２ａ、２２ｂ)が溶接されて、ブラケット(２０)の全面に取っ手(３０)がねじ(Ｓ)で締結される。
【００２１】
より詳細に、釜(１０)は容器模様に鋳物または板材で製作されるが、上部両側面に取っ手(３０)が設置された部分にそれぞれ所定の間隔を置いて一組の溝部(１１ａ、１１ｂ)が具備される。
【００２２】
また、ブラケット(２０)は釜(１０)の両側面と相接するように緩やかに曲がった模様でプラスチックで製作されるが、釜(１０)と相接される背面に釜(１０)の溝部(１１ａ、１１ｂ)に挟まれる突起部(２１ａ、２１ｂ)が具備されて、突起部(２１ａ、２１ｂ)がその両端(２２ａ、２２ｂ)と近接するように形成されるのが望ましく、その両端(２２ａ、２２ｂ)が溶接されることがさらに望ましい。
【００２３】
勿論、釜(１０)の溝部(１１ａ、１１ｂ)とブラケット(２０)の突起部(２１ａ、２１ｂ)は円柱、四角柱、円錐などの形態で多様に構成されることができる。
【００２４】
また、釜(１０)に突起部が具備されるとともに、ブラケット(２０)に溝部が具備されるようにして、互いに係合するように構成することもできるが、鋳物または板材で製作された釜(１０)に溝部(１１ａ、１１ｂ)を加工して、プラスチック射出されるブラケット(２０)に突起部(２１ａ、２１ｂ)が具備されるようにすることが容易であるため、これを望ましい実施形態として適用する。
【００２５】
この際、ブラケット(２０)の上端には少なくとも一つ以上の段差(２３)が突出されるように形成されるが、これは溶接が上で行われたとしても取っ手(３０)側に具備されたリブとの干渉を防止するためであり、ブラケット(２０)の前面には取っ手(３０)がねじ(Ｓ)で締結され得る穴を含む締結突起(２４ａ、２４ｂ)が突出されるように形成される。
【００２６】
また、取っ手(３０)はブラケット(２０)を覆うようにブラケット(２０)と連結される垂直部(３１)及びその上端に切曲されるように延長された水平部(３２)を備えるが、垂直部(３１)と水平部(３２)の間の強度を補強するために複数個の強度補強用リブ(３３)が形成される。
【００２７】
この際、垂直部(３１)の両側部分にブラケット(２０)の締結突起(２４ａ、２４ｂ)が挟まれるのみならず、ねじ(Ｓ)が締結される一組の開口部(３４ａ、３４ｂ)が具備される。
【００２８】
上記のように構成された組み立て容器の組み立て過程を観察してみると、釜(１０)の溝部(１１ａ、１１ｂ)にブラケット(２０)の突起部(２１ａ、２１ｂ)が係合するようにして、ブラケット(２０)をより釜(１０)の方に密着させるとともに、正確な位置に位置させる。
【００２９】
また、ブラケット(２０)の両端(２２ａ、２２ｂ)を釜(１０)の外側面に溶接固定させるが、ブラケット(２０)の両端(２２ａ、２２ｂ)から遠くなるほど溶接の厚さが薄くなるように、三角形ビード(２５a、２５b)を形成するように、アルゴン溶接する。
【００３０】
この際、釜(１０)の溝部(１１ａ、１１ｂ)とブラケット(２０)の突起部(２１ａ、２１ｂ)が互いに係合するようにすること、追加して溶接も行われることから、締結強度をより高めることができる。
【００３１】
また、ブラケット(２０)の締結突起(２４ａ、２４ｂ)が取っ手(３０)の開口部(３４ａ、３４ｂ)に挟まれるように取り付けられるが、取っ手(３０)の垂直部(３１)が上側に位置されるとともに、取っ手(３０)の垂直部(３１)がブラケット(２０)を覆うようにして、ねじ(Ｓ)がブラケット(２０)の締結突起(２４ａ、２４ｂ)及び取っ手(３０)の開口部(３４ａ、３４ｂ)に締結されて固定される。
【００３２】
この際、釜(１０)とブラケット(２０)が互いに係合したとしても、釜(１０)の内部にブラケット(２０)の突起部(２１ａ、２１ｂ)が露出されないこと、また、釜(１０)とブラケット(２０)が互いに溶接されてもビード(２５a、２５b)を取っ手(３０)が覆うように設置されるため、やはり外部に露出されないことから、美観をより向上させることができる。
【００３３】
以上のように、本発明の実施形態及び添付図面を元に例をあげて本発明を詳細に説明した。しかし、以上の実施形態及び図面によって本発明の範囲が限定されることはなく、本発明の範囲は後述した特許請求範囲に記載された内容によってのみ限定されるであろう。
【００３４】
上記のように構成される本発明による組み立て容器は、釜の外観をブラケットを互いに係合するように取り付けるとともに、溶接固定させて、取っ手をブラケットにねじ止めするために締結強度をより高めることができるため、製品を堅固に製作することができる利点がある。
【００３５】
さらに、本発明は釜外観にブラケットを組み立てても釜の内側に露出することがなく、釜の外観にブラケットを溶接しても溶接部分を取っ手が覆うように設置されるため、構成部品の間の結合部分が釜に露出されないことから、美観をより向上させることができる利点がある。
【図面の簡単な説明】
【００３６】
【図１】従来の技術の一実施形態である調理容器の溶接連結部分が図示された図面である。
【図２】従来の技術の他の実施形態である調理容器のリベット連結部分が図示された図面である。
【図３】本発明の一実施形態である調理容器が図示された図面である。
【図４】本発明の一実施形態である調理容器が図示された図面である。
【図５】本発明の一実施形態である調理容器のブラケット装着構造が図示された図面である。
【図６】本発明の一実施形態である調理容器のブラケット装着構造が図示された図面である。
【図７】本発明の一実施形態である調理容器のブラケットが図示された図面である。
【符号の説明】
【００３７】
１０…釜、１１ａ，１１ｂ…溝部、２０…ブラケット、２１ａ，２１ｂ…突起部、２２ａ，２２ｂ…両端、２３…段差、２４ａ，２４ｂ…締結突起、３０…取っ手、３１…垂直部、３２…水平部、３３…強度補強用リブ、３４ａ，３４ｂ…開口部。
【図１】
2008086745.tif 000003
【図２】
2008086745.tif 000004
【図３】
2008086745.tif 000005
【図４】
2008086745.tif 000006
【図５】
2008086745.tif 000007
【図６】
2008086745.tif 000008
【図７】
2008086745.tif 000009